(57)【要約】【課題】少量の洗濯水で、洗濯物の温度を上昇させて洗浄効果を高める。【解決手段】水槽２の内部に配した回転ドラム３内に温風供給する加熱手段１２と、水槽２内から排水を行う排水手段４と、洗濯水を水槽２底部から上方に循環させる循環ポンプ２３と、行程制御をおこなう制御手段１１とを備え、制御手段１１は、水槽２内に定格量の洗濯水を供給し洗い運転を実行した後に、排水手段４により水槽２内の洗濯水の大半を機外に排出し、加熱手段１２により温風供給し水槽および回転ドラム３内の洗濯物７を加熱しながら、回転ドラム３で洗濯動作を行い、循環ポンプ２３を駆動させて水槽２底部に貯留した洗濯水１０を再び洗濯物７に含ませることで、洗濯物７に高温の洗濯水１０を十分に補給し、かつ温度を高めたことによる洗濯水の活性化により洗浄力が高める事が出来る。【選択図】図１
2012179270.tif 000002
【特許請求の範囲】
【請求項１】
洗濯機本体の内部に配設された水槽と、前記水槽の内部に回転自在に配設された洗濯物を収容するための回転ドラムと、前記回転ドラムを回転駆動させるモータと、前記回転ドラム内を加熱する加熱手段と、前記水槽内から排水を行う排水手段と、前記水槽内の洗濯水を循環させる循環ポンプと、前記水槽内の水位を検知すう水位センサーと、前記モータ、加熱手段、排水手段、及び循環ポンプ等の動作を制御して洗い、すすぎ、脱水、乾燥等の各行程制御をおこなう制御手段とを備え、前記制御手段は、前記水槽内に洗濯水を貯留した状態で洗い運転を実行した後に、前記排水手段により水槽内の洗濯水を所定の水位まで排水し、前記回転ドラムを回転させながら前記加熱手段により前記水槽内を加熱し、所定時間経過後または洗濯水が前記水槽に所定量貯留したら前記循環ポンプを駆動させる制御を行うドラム式洗濯乾燥機。
【請求項２】
洗濯物の乾燥を行うための温風循環経路を構成し、加熱手段は前記温風循環経路に設けられるとともに洗濯物の乾燥行程時の加熱手段と併用した請求項１記載のドラム式洗濯乾燥機。
【発明の詳細な説明】
【技術分野】
【０００１】
本発明は、洗濯物を収容した洗濯槽を回転駆動することで洗い運転が可能である、ドラム式乾燥機に関する。
【背景技術】
【０００２】
従来、この種のドラム式洗濯乾燥機は、洗浄性能を高めるため温水用ヒータで洗剤を含む洗濯水を加熱して、回転ドラムを回転駆動させることが一般的であったが、電力消費量が増加し、運転時間がかかり、電気料金が高くなること等への省エネルギー対応として、熱容量の大きい洗濯水の大半を機外に排出して、温風加熱手段により水槽内を加熱して回転ドラム内の洗濯水および洗濯水を含んだ洗濯物の温度が上昇した後に、回転ドラムの回転駆動を再開始して、洗い動作を実行する事が提案されている（例えば特許文献１参照）。
【０００３】
図３は、従来のドラム式洗濯乾燥機の構成図であり、図４は、特許文献１に記載された従来のドラム式洗濯乾燥機の運転動作を示すフローチャートを示すものである。
【０００４】
図３において、洗濯機本体１内方に、モータ５により駆動する回転ドラム３を内包する水槽２を、防振機能６にて揺動自在に支持する。回転ドラム３内方に洗濯物７を投入し、回転により洗濯、脱水、乾燥等の動作を行う。
【０００５】
前記水槽２は、上方より洗剤収容部を兼ねる給水機能２１より給水管１６を介して洗濯水等が供給され、水槽２底部には排水弁４に接続する排水管１７ａを構成する。
【０００６】
また、水槽２の背面（図３で右側）外方には、乾燥機能用の熱交換経路１４や、上方には、前記熱交換経路１４と循環経路１３で接続した、ヒータや送風用ブロアモータ等を内設した温風送風機能である加熱手段１２と送風ダクト８と温風吐出口２０とを構成する。
【０００７】
乾燥循環風の流れは、水槽２および回転ドラム３の底部から吸引し、前記熱交換経路１４と循環経路１３を経て、温風送風機能１２と送風ダクト８および温風吐出口２０から水槽２上部に吐出する。
【０００８】
水槽２の排水管１７ａ近傍底部には、水槽２内部の洗濯水を加熱する温水ヒータ９および温度検知手段２２を配する。
【０００９】
前記排水弁４下流側には、糸屑等洗濯水に含まれる異物を除去する異物フィルター１７ｂに配管した排出ホース１７ｃおよび、異物フィルター１７ｂから機外に排出する排水ホース１７ｄを接続する。
【００１０】
洗濯機本体１上方前面部には、操作パネル２１とその内方に制御部１１を配し、前記制御部１１は、操作パネル２１からの入力操作をうけ、モータ５、給水機能２１、排水弁４、温風送風機能１２等の制御により洗濯、脱水、乾燥等の行程制御をおこなう。
【００１１】
なお、図３にて、水槽２および回転ドラム３の底部の洗濯水１０の水位は、次に説明する第１洗い行程後の排水を行った状態を示すものである。
【００１２】
図４のフローチャートにおいて、運転開始されると洗濯物の衣類量に応じて（Ｓ１）洗濯水の給水がなされ（Ｓ２）、その洗濯水の水温検出後（Ｓ３）洗い運転が実行される（Ｓ４）。これが第１洗い行程となる。
【００１３】
次に、所定時間上記洗い運転の後、所定水位（図３の１０表示）まで洗濯水を排水し（Ｓ５）、（Ｓ３）にて検出した水温に応じて静止加熱時間の決定（Ｓ６）を行い、ヒータ加熱、送風用ブロアモータ駆動により、図３の温風吐出口２０から温風送風にて槽内の加熱（Ｓ７）を行い、（Ｓ６）で決定した静止加熱時間経過後（Ｓ８）、ヒータ加熱、送風を継続しながらドラム回転の洗い運転を行う（Ｓ９）。これが第２洗い行程で、残った少量の洗濯水の温度を高めて洗剤液の活性化をしている。
【００１４】
その後、中間脱水（Ｓ１０）や、すすぎ行程（Ｓ１１）、最終脱水行程（Ｓ１２）、乾燥行程（Ｓ１３）等の行程を行う。
【００１５】
即ち、洗濯水の大半を機外に排出し、水槽内を乾燥機能を利用して熱風の供給により加熱して、回転ドラム内の洗濯水を含んだ洗濯物の温度を上昇させて洗浄効果を高めている。
【先行技術文献】
【特許文献】
【００１６】
【特許文献１】特開２００６−２４７０６２号公報
【発明の概要】
【発明が解決しようとする課題】
【００１７】
しかしながら、前記従来の構成では、乾燥機能にて熱風の供給を行い洗濯物および洗濯物に含まれる洗濯水の温度を高めるものであるため、水槽内の洗濯物の温度を上昇させる間は、回転ドラム３反転回転させて、洗濯物７に機械力を加えると、洗濯物に含まれる洗濯水が離脱してしまい、十分な洗浄効果を発揮できないという課題があった。
【００１８】
一方、第２洗い行程における洗濯水の量を多く設定すると、水槽底部の洗濯水の水位が、水槽に接続されている熱交換経路への入り口を塞ぐため、乾燥循環風を送風出来なくなるという課題が生じる。
【００１９】
また、洗濯物と洗濯水という熱容量の異なるものを均等に温度を上昇させることができないので、時間が長くかかっていた。
【００２０】
乾燥時間を短時間化するために、従来の温水用ヒータを採用すると、電気的エネルギーが多く必要となり省エネルギーにならなくなる等の課題があった。
【課題を解決するための手段】
【００２１】
前記従来の課題を解決するために、本発明のドラム式洗濯機は、洗濯機本体の内部に配設された水槽と、前記水槽の内部に回転自在に配設された洗濯物を収容するための回転ドラムと、前記回転ドラムを回転駆動させるモータと、前記回転ドラム内を加熱する加熱手段と、前記水槽内から排水を行う排水手段と、前記水槽内の洗濯水を循環させる循環ポンプと、前記水槽内の水位を検知すう水位センサーと、前記モータ、加熱手段、排水手段、及び循環ポンプ等の動作を制御して洗い、すすぎ、脱水、乾燥等の各行程制御をおこなう制御手段とを備え、前記制御手段は、前記水槽内に洗濯水を貯留した状態で洗い運転を実行した後に、前記排水手段により水槽内の洗濯水を所定の水位まで排水し、前記回転ドラムを回転させながら前記加熱手段により前記水槽内を加熱し、所定時間経過後または洗濯水が前記水槽に所定量貯留したら前記循環ポンプを駆動させる制御を行うものである。
【００２２】
これによって、洗濯物は高温の洗濯水を十分に含んだ状態で回転駆動されるので、高い洗浄力を発揮する事が出来る。
【発明の効果】
【００２３】
本発明のドラム式洗濯乾燥機は、高温の洗濯水を十分に含んだ状態で回転駆動されるので、安定した高い洗浄性能を得る事が出来る。
【図面の簡単な説明】
【００２４】
【図１】本発明の実施の形態におけるドラム式洗濯乾燥機の構成図
【図２】同ドラム式洗濯乾燥の運転動作を示すフローチャート
【図３】従来のドラム式洗濯乾燥機の構成図
【図４】従来のドラム式洗濯乾燥機での運転動作を示すフローチャート
【発明を実施するための形態】
【００２５】
第１の発明は、洗濯機本体の内部に配設された水槽と、前記水槽の内部に回転自在に配設された洗濯物を収容するための回転ドラムと、前記回転ドラムを回転駆動させるモータと、前記回転ドラム内を加熱する加熱手段と、前記水槽内から排水を行う排水手段と、前記水槽内の洗濯水を循環させる循環ポンプと、前記水槽内の水位を検知すう水位センサーと、前記モータ、加熱手段、排水手段、及び循環ポンプ等の動作を制御して洗い、すすぎ、脱水、乾燥等の各行程制御をおこなう制御手段とを備え、前記制御手段は、前記水槽内に洗濯水を貯留した状態で洗い運転を実行した後に、前記排水手段により水槽内の洗濯水を所定の水位まで排水し、前記回転ドラムを回転させながら前記加熱手段により前記水槽内を加熱し、所定時間経過後または洗濯水が前記水槽に所定量貯留したら前記循環ポンプを駆動させる制御を行うことにより、洗濯物に含まれる洗濯水が十分補給され、かつ洗濯物の温度を高めたことによる洗剤を含んだ洗濯水の活性化により洗浄力を十分に発揮するので、高い洗浄性能を達成することができる。
【００２６】
第２の発明は、特に第１の発明において、洗濯物の乾燥を行うための温風循環経路を構成し、加熱手段は前記温風循環経路に設けられるとともに洗濯物の乾燥行程時の加熱手段と併用したことにより、加熱構造の新たな構成の付加は不要となり、制御仕様の変更追加で高い洗浄力を有するドラム式洗濯乾燥機を実施できる。
【００２７】
以下、本発明の実施の形態について、図面を参照しながら説明する。なお従来例と同じ構成のものは同一符号を付して詳細説明を省略する。またこの実施の形態により本発明が限定されるものではない。
【００２８】
（実施の形態１）
図１は、本発明の実施の形態におけるドラム式洗濯機の縦断面図を示すものであり、図２は、同ドラム式洗濯乾燥の運転動作を示すフローチャートを示す図である。
【００２９】
図１において、洗濯機本体１の内部に防振機能６にて揺動自在に水槽２が配設され、前記水槽２内には、回転ドラム３が回転自在に配設され、前記回転ドラム３は、水槽２の背面に外側より取り付けられたモータ５により回転駆動され、内部に投入した洗濯物７の洗濯、すすぎ、脱水、乾燥等の動作が行われる。
【００３０】
前記水槽２は、上方より給水機能２１より給水管１６を介して洗濯水等が供給され、水槽２底部には排水手段である排水弁４に接続する排水管１７ａを構成し、前記排水弁４下流側には、異物フィルター１７ｂに配管した排出ホース１７ｃおよび、異物フィルター１７ｂから機外に排出する排水ホース１７ｄを接続する。
【００３１】
また、水槽２の背面（図１で右側）外方および上方には、熱交換経路１４と循環経路１３に接続した、ヒータや送風用ブロアモータ等を内設して温風送風機能を有する加熱手段１２と送風ダクト８と温風吐出口２０とにより、温風循環経路を構成して回転ドラム３内部の洗濯物の衣類乾燥を行う機能を有する。
【００３２】
水槽２底部の排水管１７ａ近傍底部には、水槽２および回転ドラム３の底部の洗濯水１０の温度検知手段２２を配する。
【００３３】
また、水槽２の底部には、第２の排水管２７より循環ポンプ２３に通じる吸引管２４を配し、前記循環ポンプ２３の吐出管２５は、水槽２前方の吐出口２６に配管し、回転ドラム３内方を指向する。
【００３４】
前記循環ポンプ２３の動作により、水槽２内底部に溜まっている洗濯水１０は吸引され、前記吐出口２６より内部の洗濯物７に向けて振りかけられ、洗濯物７から滴下した洗濯水１０は再び循環ポンプ２３にて吸引される循環水流を構成する。
【００３５】
洗濯機本体１上方前面部の操作パネル２１からの入力操作により、制御部１１は、モータ５、給水機能２１、排水弁４、送風ファンとヒータで構成された加熱手段１２、循環ポンプ２３等の制御により洗い行程、すすぎ行程、脱水行程、乾燥行程を行う機能を有したいわゆるドラム式洗濯乾燥機を構成している。
【００３６】
図２のフローチャートにて、本発明の実施の形態のドラム式洗濯乾燥機の運転動作を説明する。
【００３７】
運転が開始され、給水機能２１より給水管１６を介して洗濯水等が供給されると（Ｓ２１）、温度検知手段２２にて洗濯水の温度を検知して（Ｓ２２）記憶しておき、所定の水位に達したら、回転ドラム３の回転により洗い運転（Ｓ２３）にて第１洗い行程を行う。
【００３８】
所定時間の洗い運転で第１の洗い行程が経過すると、第２洗い行程に移行する。第２洗い行程では、制御部１１はまず排水弁４を開放して水槽２内からの排水を開始する（Ｓ２４）。これによって、水槽２内の洗濯水の水位は下がってゆき、制御手段１１は、水槽２内の水位が水位センサ（図示せず）で検知可能な最も低い水位であるリセット水位まで下がったことを検知すると、その時点から一定時間が経過するまで待ち、加熱手段１２より、送風ダクト８および温風吐出口２０を介して、回転ドラム３内部に温風供給を開始する（Ｓ３０）。このとき、第２洗い行程の洗い運転として、モータ５を駆動して所定の回転速度で回転ドラム３を回転させる（Ｓ２５）。
【００３９】
また、この時、洗濯物７に含まれた洗濯水は洗濯物に加わる衝撃により洗濯物７から離脱し、水槽２内に排出され底部に貯留するが、この排出された洗濯水の水温と水位を検知する（Ｓ２６）。所定時間運転後または、水槽２内に排出された洗濯水の水位が一定以上になったと検知したら、モータ５の駆動を停止させて回転ドラム３の回転を停止し（Ｓ２７）、循環ポンプ２３を一定時間、間欠運転または連続運転をさせ（Ｓ２８）、吐出口２６より内部の洗濯物７に洗濯水をもどす行程を所定時間行い（Ｓ２９）、所定の時間まで上記のドラム回転と停止、循環ポンプ運転を繰り返し（Ｓ２５〜Ｓ２９）第２洗い行程を終了する。
【００４０】
第３の洗い行程は、第２の洗い行程と同様に回転ドラム３を回転させ（Ｓ３１）、水槽２内に排出された洗濯水の水位が一定以上になった場合、モータ５の駆動を停止させ（Ｓ３２）、循環ポンプ２３を一定時間、間欠運転または、連続運転をさせる行程（Ｓ３３）を、温度検知手段２２により、貯留水の水温が、設定温度になった事を検知するまで、が繰り返される。
【００４１】
このとき、温度検知手段２２で監視され、温風供給の加熱手段１２を制御することで、洗濯物７は、一定の温度を維持される（Ｓ３４）。
【００４２】
洗い行程の終了検知は、第３の洗い行程、貯留水の水温検知までの時間と、洗い行程全体の時間により、最適な時間運転され（Ｓ３５）、以降は通常のすすぎ行程（Ｓ３６）、最終脱水行程（Ｓ３７）、乾燥行程（Ｓ３８）を経て運転が終了する。
【００４３】
以上のように構成されたドラム式洗濯乾燥機について、以下動作、作用、効果を説明する。
【００４４】
水槽２内に洗濯水が供給された状態で、回転ドラム３が回転駆動され、内部に収容されている洗濯物が例えば叩き洗いされて汚れが落ちる。その後、排水弁４開放により水槽２内から排水がなされるが、脱水は行われていないので洗濯物は未だ十分に洗濯水を含んだ状態にある。上記排水の後、加熱手段１２により水槽２および回転ドラム３内に温風が供給され加熱される。また加熱中も洗い運転によって、回転ドラム３内に収容されている洗濯物および、洗濯物に含まれる洗剤液の温度が上昇し、洗剤の活性化がすすみ洗浄効果が高まる。
【００４５】
しかし、回転ドラム３が回転駆動されることで衝撃により、洗濯水は洗濯物７から排出され、水槽２底部に貯留する。一定時間回転ドラムを回転させた後、回転ドラムの回転を停止させ、水槽底部に貯留した洗濯水を循環ポンプ２３でくみ上げ、再び洗濯物７に振りかけることで、洗濯物７は再び、高温の洗濯水を十分に含んだ状態となる。洗濯水を十分に含んだ状態で再度回転ドラムの回転により洗濯動作がくりかえされるので、洗浄効果が高まる。
【００４６】
またこのとき、洗濯物７は高温の洗濯水を十分に含んだ状態にあるので洗剤の活性化がより進行しており、水温が低いときには落ちにくい皮脂汚れなどが浮き上がって落ち易くなる。さらに、洗濯水中のタンパク質分解酵素や脂質分解酵素なども活性化され、高い洗浄力を発揮して洗濯物に付着している汚れを落とす。
【００４７】
また、洗濯物７が高温になった状態で、回転ドラム３の高速回転によって脱水される場合、脱水性能が向上されるので、常温で脱水した場合より、効率的に洗濯水が洗濯物より排出することができるので、すすぎ性能の向上や、乾燥行程の時間短縮が可能になる。または、すすぎに使用する水の量を減らすことも可能である。
【００４８】
以上のように、洗濯水を循環ポンプ２３でくみ上げ、再び洗濯物７に振りかけることで、洗濯物に含まれる洗剤液が十分補給され、かつ洗濯物の温度を高めたことによる洗濯水の洗浄力を十分に発揮させ、高い洗浄性能を達成することができる。
【００４９】
また、洗濯物および洗濯水の加熱は、回転ドラム３内の洗濯物の衣類乾燥する為の、熱交換経路１４と循環経路１３に接続した、ヒータや送風用ブロアモータ等を内設して温風送風機能を有する加熱手段１２と送風ダクト８と温風吐出口２０とにより構成された、温風循環経路を利用しているもので、特にこの構成では、洗濯物に高温の加熱空気を当てることにより、洗濯物および洗剤液の温度を効率良く高めることができるドラム式洗濯乾燥機としての構成であり、新たな加熱手段の構成の付加は不要となる。
【産業上の利用可能性】
【００５０】
以上のように、本発明にかかるドラム式洗濯乾燥機は、洗濯物の温度を高めたことによる洗剤を含んだ洗濯水の活性化により洗浄力を十分に発揮して、高い洗浄性能を達成することができるので、洗濯機等に有用である。
【符号の説明】
【００５１】
１    洗濯機本体
２    水槽
３    回転ドラム
４    排水手段（排水弁）
５    モータ
６    防振機能
７    洗濯物
８    送風ダクト
１０  洗濯水
１１  制御手段
１２  加熱手段
１４  熱交換経路
２０  温風吐出口
２１  給水機能
２２  温度検知手段
２３  循環ポンプ
【図１】
2012179270.tif 000003
【図２】
2012179270.tif 000004
【図３】
2012179270.tif 000005
【図４】
2012179270.tif 000006